(57)【特許請求の範囲】
【請求項１】
ユーザの端末およびＷｅｂドキュメントサーバと通信ネットワークを介して接続されたコンテンツ配信サーバによりコンテンツを配信する方法であって、
前記コンテンツ配信サーバは、少なくともコンテンツの属性を表すコンテンツ属性データおよび前記ユーザを識別するユーザ識別データを記憶する記憶部を備え、
前記Ｗｅｂドキュメントサーバに記憶されたＷｅｂドキュメントの要約データが前記記憶部に前記ユーザ識別データを記憶したユーザにより更新されたことを所定の間隔で確認する要約データ更新確認ステップと、
前記要約データが前記記憶部に前記ユーザ識別データを記憶したユーザにより更新されたことを確認したことに応じて、前記要約データを前記Ｗｅｂドキュメントサーバから受信をする要約データ受信ステップと、
前記受信をした要約データを解析し、要約属性データを生成する要約属性データ生成ステップと、
生成した前記要約属性データと前記コンテンツ属性データとを比較することによって、前記受信をした要約データに関連のあるコンテンツを前記受信をした要約データの一部として挿入をすると共に、前記更新をしたユーザが、広告掲載プログラムやアフィリエイトプログラムあるいは成果保証型広告プログラムに参加するためにあらかじめ前記記憶部にユーザ識別データを記憶しているユーザである場合に、当該ユーザを識別するためのユーザ識別データを前記要約データの一部としてさらに挿入をして前記記憶部に記憶するコンテンツ挿入ステップと、
前記ユーザの端末からの前記要約データの送信要求を受信したことに応じて、前記挿入をした後の要約データを前記ユーザの端末に送信する要約データ送信ステップと、を含む方法。
【請求項２】
請求項１に記載の方法であって、
前記要約データ更新確認ステップにおいて、前記Ｗｅｂドキュメントサーバが要約データを記憶していない場合に、前記コンテンツ配信サーバは、前記Ｗｅｂドキュメントサーバに記憶されたＷｅｂドキュメントが更新されたことを所定の間隔で確認し、
前記Ｗｅｂドキュメントデータが更新されたことを確認したことに応じて、前記コンテンツ配信サーバが、前記Ｗｅｂドキュメントデータを前記Ｗｅｂドキュメントサーバから受信するＷｅｂドキュメントデータ受信ステップと、
前記コンテンツ配信サーバが、前記受信をしたＷｅｂドキュメントデータの要約データの生成をする要約データ生成ステップと、をさらに含み、
前記要約属性データ生成ステップにおいて、前記コンテンツ配信サーバは、前記生成をした要約データの解析をし、要約属性データを生成し、
前記コンテンツ挿入ステップにおいて、前記コンテンツ配信サーバは、生成した前記要約属性データと前記コンテンツ属性データとを比較することによって、前記生成をした要約データに関連のあるコンテンツを前記生成をした要約データの一部として挿入をして前記記憶部に記憶する方法。
【請求項３】
請求項１または請求項２に記載の方法であって、
前記コンテンツは所定のＷｅｂドキュメントを参照するための接続データであり、
前記記憶部は、前記接続データをさらに記憶しており、
前記コンテンツ挿入ステップにおいて、前記コンテンツ配信サーバは、前記要約データに前記接続データをコンテンツとして挿入して前記記憶部に記憶する方法。
【請求項４】
請求項１から請求項３のいずれかに記載の方法であって、
前記記憶部は、前記Ｗｅｂドキュメントサーバを識別するためのサーバ識別データをさらに記憶しており、
前記コンテンツ挿入ステップにおいて、前記コンテンツ配信サーバは、前記サーバ識別データを前記要約データの一部としてさらに挿入して前記記憶部に記憶する方法。
【請求項５】
請求項１から請求項４のいずれかに記載の方法であって、
前記コンテンツ属性データは、前記コンテンツの属性を表すコンテンツキーワードデータを含み、
前記要約属性データ生成ステップにおいて、前記コンテンツ配信サーバは、前記要約データの形態素解析をし、当該形態素解析の結果得られた要約キーワードデータを含む要約属性データを生成する方法。
【請求項６】
請求項１から請求項５のいずれかに記載の方法であって、
前記要約データが、ＲＳＳフォーマットにより構成されている方法。
【請求項７】
ユーザの端末およびＷｅｂドキュメントサーバと通信ネットワークを介して接続されたコンテンツを配信するコンテンツ配信サーバであって、
少なくともコンテンツの属性を表すコンテンツ属性データおよび前記ユーザを識別するユーザ識別データを記憶する記憶部を備え、
前記Ｗｅｂドキュメントサーバに記憶されたＷｅｂドキュメントの要約データが前記記憶部に前記ユーザ識別データを記憶したユーザにより更新されたことを所定の間隔で確認する要約データ確認手段と、
前記要約データが前記記憶部に前記ユーザ識別データを記憶したユーザにより更新されたことを確認したことに応じて、前記要約データを前記Ｗｅｂドキュメントサーバから受信をする要約データ受信手段と、
前記受信をした要約データを解析し、要約属性データを生成する要約属性データ生成手段と、
生成した前記要約属性データと前記コンテンツ属性データとを比較することによって、前記受信をした要約データに関連のあるコンテンツを前記受信をした要約データの一部として挿入をすると共に、前記更新をしたユーザが、広告掲載プログラムやアフィリエイトプログラムあるいは成果保証型広告プログラムに参加するためにあらかじめ前記記憶部にユーザ識別データを記憶しているユーザである場合に、当該ユーザを識別するためのユーザ識別データを前記要約データの一部としてさらに挿入をして前記記憶部に記憶するコンテンツ挿入手段と、
前記ユーザの端末からの前記要約データの送信要求を受信したことに応じて、前記挿入をした後の要約データを前記ユーザの端末に送信する要約データ送信手段と、を備えるコンテンツ配信サーバ。
【請求項８】
請求項７に記載のコンテンツ配信サーバであって、
前記要約データ確認手段は、前記Ｗｅｂドキュメントサーバが要約データを記憶していない場合に、前記Ｗｅｂドキュメントサーバに記憶されたＷｅｂドキュメントが更新されたことを所定の間隔で確認し、
前記Ｗｅｂドキュメントデータが更新されたことを確認したことに応じて、前記Ｗｅｂドキュメントデータを前記Ｗｅｂドキュメントサーバから受信するＷｅｂドキュメントデータ受信手段と、
前記受信をしたＷｅｂドキュメントデータの要約データの生成をする要約データ生成手段と、をさらに含み、
前記要約属性データ生成手段は、前記生成をした要約データの解析をし、要約属性データを生成し、
前記コンテンツ挿入手段は、生成した前記要約属性データと前記コンテンツ属性データとを比較することによって、前記生成をした要約データに関連のあるコンテンツを前記生成をした要約データの一部として挿入をして前記記憶部に記憶するコンテンツ配信サーバ。
【発明の詳細な説明】
【技術分野】
【０００１】
本発明は、コンテンツ配信の方法及び当該方法を実現するサーバに関する。特に、Ｗｅｂドキュメントへのリンク情報の埋め込みによってコンテンツを配信する方法及び当該方法を実現するサーバに関する。
【背景技術】
【０００２】
従来、広告主との契約に基づいて、Ｗｅｂドキュメントの運用者が自ら運用するＷｅｂドキュメントに当該広告主の広告ページへのリンクを埋め込むことによって、当該Ｗｅｂドキュメントの閲覧者を当該広告ページへ誘導し、当該実績に基づいて当該広告主から広告料を得ることが行なわれている。このような契約に基づく広告モデルを、実績の内容に応じて、クリック課金広告、成果保証型広告モデル等と呼び、このような契約は、前者は広告掲載プログラム、後者はアフィリエイトプログラムあるいは成果保証型広告プログラム等と呼ばれる。
【０００３】
一方、インターネット環境においては、キーワード等によってＷｅｂドキュメントを検索することができる各種検索サービスが発達している。このような検索サービスを提供する企業等は、定期的にＷｅｂドキュメントの更新状況を通信ネットワークを介してチェックするソフトウエアを運用しており、検索結果に反映させているので、例えば個人が運用するＷｅｂドキュメント等も、当該キーワード等により検索され、ユーザによってブラウズされれば広告媒体として充分に機能し得る。
【０００４】
このような状況において、インターネット上に掲示板ページを提供し、当該掲示板ページに表示させる発言データを受信した場合に、当該発言データを形態素解析し、当該形態素解析によって得られた単語と一致する商品名を含む商品ページへのリンクを当該発言データ中の当該単語に設定する技術が提案されている（特許文献１）。
【０００５】
このような技術によれば、自らがＷｅｂドキュメントを運用していないユーザもアフィリエイトプログラムに参加することができる。
【特許文献１】特開２００４−２９５２６７号公報
【発明の開示】
【発明が解決しようとする課題】
【０００６】
しかしながら、特許文献１に記載の技術においては、当該商品ページへのリンクを潜在的な顧客であるユーザがクリックするためには、当該ユーザは、自らの意思でブラウザ等を操作し、当該掲示板ページを閲覧することが前提となる。このような掲示板ページを含めて、Ｗｅｂドキュメントは爆発的に増大しており、このような環境において広告媒体としてＷｅｂドキュメントを活用するためには更に工夫する余地がある。
【０００７】
そこで、本発明者らは、近年普及してきたＸＭＬタグを使用するＷｅｂドキュメントのフォーマットのひとつであり、オリジナルのＷｅｂドキュメントの要約を表す要約データを構成するために使用されているＲＳＳ（Ｒｅａｌｌｙ  Ｓｉｍｐｌｅ  Ｓｙｎｄｉｃａｔｉｏｎ、Ｒｉｃｈ  Ｓｉｔｅ  ＳｕｍｍａｒｙまたはＲＤＦ  Ｓｉｔｅ  Ｓｕｍｍａｒｙ）等の技術を活用して、ユーザにより効率的に広告等を含むコンテンツ配信を行なう方法を見出した。
【課題を解決するための手段】
【０００８】
本発明は、ユーザの端末およびＷｅｂドキュメントサーバと通信ネットワークを介して接続されたコンテンツ配信サーバによりコンテンツを配信する方法であって、
前記コンテンツ配信サーバは、少なくともコンテンツの属性を表すコンテンツ属性データを記憶する記憶部を備え、
前記Ｗｅｂドキュメントサーバに記憶されたＷｅｂドキュメントの要約データが更新されたことを所定の間隔で確認する要約データ更新確認ステップと、
前記要約データが更新されたことを確認したことに応じて、前記要約データを前記Ｗｅｂドキュメントサーバから受信をする要約データ受信ステップと、
前記受信をした要約データを解析し、要約属性データを生成する要約属性データ生成ステップと、
生成した前記要約属性データと前記コンテンツ属性データとを比較することによって、前記受信をした要約データに関連のあるコンテンツを前記受信をした要約データの一部として挿入をして前記記憶部に記憶するコンテンツ挿入ステップと、
前記ユーザの端末からの前記要約データの送信要求を受信したことに応じて、前記挿入をした後の要約データを前記ユーザの端末に送信する要約データ送信ステップと、を含むことを特徴とする。
【０００９】
このような構成によれば、ユーザの端末およびＷｅｂドキュメントサーバと通信ネットワークを介して接続されたコンテンツ配信サーバは、
少なくともコンテンツの属性を表すコンテンツ属性データを記憶する記憶部を備え、
前記Ｗｅｂドキュメントサーバに記憶されたＷｅｂドキュメントの要約データが更新されたことを所定の間隔で確認し、
（例えば、ユーザのエージェントとして）前記要約データが更新されたことを確認したことに応じて、前記要約データを前記Ｗｅｂドキュメントサーバから受信し、
前記受信をした要約データを解析し、要約属性データを生成し、
生成した前記要約属性データと前記コンテンツ属性データとを比較することによって、前記受信をした要約データに関連のあるコンテンツを前記受信をした要約データの一部として挿入をして前記記憶部に記憶し、
前記ユーザの端末からの前記要約データの送信要求を受信したことに応じて、前記挿入をした後の要約データを前記ユーザの端末に送信することが可能である、という作用効果を奏する。
【００１０】
このことにより、前記Ｗｅｂドキュメントサーバに記憶されたＷｅｂドキュメントの要約データが更新されると、前記コンテンツ配信サーバは、更新された当該要約データに関連する様々なコンテンツを挿入することによって自動的に端末のユーザに配信することが可能となる。配信対象となるコンテンツは広告等に限られず、要約データに挿入することが可能であり、属性データをあらかじめ設定して記憶しておくことが可能であるものはすべて含まれる。
【００１１】
その結果、前記コンテンツ配信サーバは、例えば、あらかじめ配信対象のコンテンツとして音楽データを音声認識技術を利用して音声解析し、当該音声解析の結果抽出した歌詞等に含まれるキーワードデータを含むコンテンツ属性データを記憶しておけば、当該音楽データをコンテンツとして関連する要約データに挿入することにより自動的に配信することができる。
【００１２】
また、本発明は、前記要約データ更新確認ステップにおいて、前記Ｗｅｂドキュメントサーバが要約データを記憶していない場合に、前記コンテンツ配信サーバは、前記Ｗｅｂドキュメントサーバに記憶されたＷｅｂドキュメントが更新されたことを所定の間隔で確認し、
前記Ｗｅｂドキュメントデータが更新されたことを確認したことに応じて、前記コンテンツ配信サーバが、前記Ｗｅｂドキュメントデータを前記Ｗｅｂドキュメントサーバから受信するＷｅｂドキュメントデータ受信ステップと、
前記コンテンツ配信サーバが、前記受信をしたＷｅｂドキュメントデータの要約データの生成をする要約データ生成ステップと、をさらに含み、
前記要約属性データ生成ステップにおいて、前記コンテンツ配信サーバは、前記生成をした要約データの解析をし、要約属性データを生成し、
前記コンテンツ挿入ステップにおいて、前記コンテンツ配信サーバは、生成した前記要約属性データと前記コンテンツ属性データとを比較することによって、前記生成をした要約データに関連のあるコンテンツを前記生成をした要約データの一部として挿入をして前記記憶部に記憶することがさらに望ましい。
【００１３】
このような構成によれば、前記Ｗｅｂドキュメントサーバが要約データを記憶していない場合に、前記コンテンツ配信サーバは、前記Ｗｅｂドキュメントサーバに記憶されたＷｅｂドキュメントが更新されたことを所定の間隔で確認し、
前記Ｗｅｂドキュメントデータが更新されたことを確認したことに応じて、前記コンテンツ配信サーバが、前記Ｗｅｂドキュメントデータを前記Ｗｅｂドキュメントサーバから受信し、
前記コンテンツ配信サーバが、前記受信をしたＷｅｂドキュメントデータの要約データの生成をし、
前記生成をした要約データの解析をし、要約属性データを生成し、
生成した前記要約属性データと前記コンテンツ属性データとを比較することによって、前記生成をした要約データに関連のあるコンテンツを前記生成をした要約データの一部として挿入をして前記記憶部に記憶することができる、という作用効果を奏する。
【００１４】
このことにより、前記コンテンツ配信サーバは、前記Ｗｅｂドキュメントサーバが要約データを記憶・管理していない場合にもその要約データを自動的に生成し、上述の方法によって自動的にコンテンツを配信することが可能となる。
【００１５】
その結果、前記Ｗｅｂドキュメントサーバの運営者にとっては、Ｗｅｂドキュメントの要約データを自らメンテナンスすることなく、当該Ｗｅｂドキュメントデータのみを記憶・管理するだけで、その要約データが自動的に生成され、コンテンツ配信に供することが可能となる。
【００１６】
また、本発明は、前記コンテンツは所定のＷｅｂドキュメントを参照するための接続データであり、
前記記憶部は、前記接続データをさらに記憶しており、
前記コンテンツ挿入ステップにおいて、前記コンテンツ配信サーバは、前記要約データに前記接続データをコンテンツとして挿入して前記記憶部に記憶することがさらに望ましい。
【００１７】
このような構成によれば、前記コンテンツは所定のＷｅｂドキュメントを参照するための接続データであり、
前記記憶部は、前記接続データをさらに記憶しており、
前記コンテンツ配信サーバは、前記要約データに前記接続データをコンテンツとして挿入して前記記憶部に記憶することができる、という作用効果を奏する。
【００１８】
このことにより、前記コンテンツ配信サーバは、前記所定のＷｅｂドキュメントを参照するための接続データを、関連する前記要約データに自動的に挿入することができる。
【００１９】
その結果、例えば、前記所定のコンテンツが、広告サイトへのリンクである場合には、前記コンテンツ配信サーバは、前記要約データに関連する広告サイトへのリンクを自動的に前記要約データに挿入することができる。
【００２０】
したがって、従来の掲示板ページへのリンクデータの挿入とは異なり、Ｗｅｂドキュメントサーバが記憶・管理する様々なＷｅｂドキュメントデータあるいは要約データに自動的にコンテンツを挿入して配信することが可能となる。このように、本発明の構成によれば、前記コンテンツ配信サーバは、爆発的に増大するＷｅｂドキュメントデータに対して、自動的に効率良く広告データ等を配信することができる可能性がある。
【００２１】
また、本発明は、前記記憶部が、前記ユーザを識別するユーザ識別データ（例えば、メールアドレスデータ、会員ＩＤデータ等）をさらに記憶しており、
前記コンテンツ配信サーバが、前記記憶部に記憶した要約データが前記ユーザにより更新されたことを所定の間隔で確認するユーザ更新確認ステップをさらに含み、
前記要約データが前記ユーザにより更新されたことを確認したことに応じて、
前記要約属性データ生成ステップにおいて、前記コンテンツ配信サーバは、前記ユーザにより更新された要約データを解析し、要約属性データを生成し、
前記コンテンツ挿入ステップにおいて、前記コンテンツ配信サーバは、前記ユーザ識別データを前記要約データの一部としてさらに挿入して前記記憶部に記憶することがさらに望ましい。
【００２２】
このような構成によれば、前記記憶部が、前記ユーザを識別するユーザ識別データをさらに記憶しており、
前記コンテンツ配信サーバが、前記記憶部に記憶した要約データが前記ユーザにより更新されたことを所定の間隔で確認し、
前記要約データが前記ユーザにより更新されたことを確認したことに応じて、
前記コンテンツ配信サーバは、前記ユーザにより更新された要約データを解析し、要約属性データを生成し、
前記コンテンツ配信サーバは、前記ユーザ識別データを前記要約データの一部としてさらに挿入して前記記憶部に記憶することができる、という作用効果を奏する。
【００２３】
このことにより、前記コンテンツ配信サーバは、前記端末のユーザ自身が更新（例えば、追記、抜粋、再整形、フォーマットの変換等）をした要約データにも関連するコンテンツを挿入することができる。
【００２４】
その結果、最初に前記要約データを前記端末から閲覧したユーザ自身が、前記要約データを更新することによって、前記コンテンツ配信サーバがコンテンツを挿入する要約データを提供する側の立場に回ることが可能となる。
【００２５】
したがって、例えば、挿入する前記コンテンツが広告サイトへのリンクである場合には、前記要約データに挿入された前記ユーザ識別データを活用することによって、前記ユーザ自身が広告掲載プログラムやアフィリエイトプログラムあるいは成果保証型広告プログラム等に参加し、広告料等の配賦を受けることができる可能性がある。
【００２６】
このように、本発明の構成によれば、前記コンテンツ配信サーバは、要約データを閲覧した（即ち、前記要約データに興味を持ち、関連する情報を追加、更新等することができる可能性の高い）ユーザ自身が要約データを提供する立場に立つことにより、より効率的に広告等のコンテンツを配信できる可能性がある。
【００２７】
また、本発明は、前記記憶部が、前記Ｗｅｂドキュメントサーバを識別するためのサーバ識別データ（例えば、ＩＰアドレスデータ、ＵＲＬデータ等）をさらに記憶しており、
前記コンテンツ配信サーバは、前記サーバ識別データを前記要約データの一部としてさらに挿入して前記記憶部に記憶することがさらに望ましい。
【００２８】
このような構成によれば、前記記憶部が、前記Ｗｅｂドキュメントサーバを識別するためのサーバ識別データをさらに記憶しており、
前記コンテンツ配信サーバは、前記サーバ識別データを前記要約データの一部としてさらに挿入して前記記憶部に記憶することができる、という作用効果を奏する。
【００２９】
このことにより、前記コンテンツ配信サーバは、前記要約データに前記コンテンツを挿入する際に、前記Ｗｅｂドキュメントサーバを識別するためのサーバ識別データをさらに自動的に挿入することができる。
【００３０】
その結果、前記コンテンツ配信サーバは、例えば、前記コンテンツが広告サイトへのリンクである場合には、前記要約データに挿入された前記Ｗｅｂドキュメントサーバ識別データを活用することによって、前記Ｗｅｂドキュメントサーバの運営者が広告掲載プログラムやアフィリエイトプログラムあるいは成果保証型広告プログラム等に参加し、広告料等の配賦を受けることができる可能性がある。
【００３１】
また、本発明は、前記コンテンツ属性データが、前記コンテンツの属性を表すコンテンツキーワードデータを含み、
前記コンテンツ配信サーバは、前記要約データの形態素解析をし、当該形態素解析の結果得られた要約キーワードデータを含む要約属性データを生成することが望ましい。
【００３２】
このような構成によれば、前記コンテンツ属性データは、前記コンテンツの属性を表すコンテンツキーワードデータを含み、
前記コンテンツ配信サーバは、前記要約データの形態素解析をし、当該形態素解析の結果得られた要約キーワードデータを含む要約属性データを生成することができる、という作用効果を奏する。
【００３３】
このことにより、前記コンテンツ配信サーバは、形態素解析により得られたキーワードにより効率的で精度の高いコンテンツの配信を行うことができる可能性がある。
【００３４】
また、本発明は、前記要約データが、ＲＳＳフォーマットにより構成されていることが望ましい。
【００３５】
このような構成によれば、前記コンテンツ配信サーバは、ＲＳＳフォーマットにより構成されている前記要約データにコンテンツを挿入して配信することができる、という作用効果を奏する。
【００３６】
このことにより、前記コンテンツ配信サーバは、近年普及してきたＲＳＳリーダによって閲覧され、また、ＲＳＳエディターによって編集・更新されるＲＳＳフォーマットにより構成された要約データを活用して、効率的にコンテンツを配信することができる。
【発明の効果】
【００３７】
本発明によれば、前記Ｗｅｂドキュメントサーバに記憶されたＷｅｂドキュメントの要約データが更新されると、前記コンテンツ配信サーバは、更新された前記要約データに関連する様々なコンテンツを自動的に前記ユーザの端末に配信することができる。さらに、前記コンテンツ配信サーバは、前記Ｗｅｂドキュメントサーバが要約データを記憶・管理していない場合にもその要約データを自動的に生成し、上述の方法によって自動的にコンテンツを配信することが可能となる。さらに、前記コンテンツ配信サーバは、例えば、要約データを構成するフォーマットの一つとして、ＲＳＳ等の技術を活用して効率的に広告等を含むコンテンツ配信を行なうことができる可能性がある。
【発明を実施するための最良の形態】
【００３８】
本発明に係る好適な実施形態の一例について、図面に基づいて以下に説明する。
［システムの全体構成］
【００３９】
図１は、本発明の好適な実施形態の一例に係るコンピュータシステム１の全体構成を表すブロック図である。コンテンツ配信サーバ１０とその管理者端末１５とが通信ネットワーク５１を介して接続され、Ｗｅｂドキュメントサーバ２０とその管理者端末２５とが、通信ネットワーク５２を介して接続され、コンテンツ提供者のコンテンツサーバ３０とその管理者端末３５とが通信ネットワーク５３を介して接続され、さらにこれらの機器とユーザの端末４０とが通信ネットワーク５０を介して接続されている。これらの機器の数には制限はなく、必要に応じて１または複数で構成してよい。
［各サーバの機能構成］
【００４０】
図２は、本発明の好適な実施形態の一例に係るコンピュータシステム１を構成する各サーバの主要な機能構成を表すブロック図である。Ｗｅｂドキュメントサーバ（パブリッシャー）２０は、Ｗｅｂドキュメントデータ２２２あるいはその要約データ２２３を含むかまたは双方を含むドキュメントデータ２２１を記憶している。ドキュメントデータ２２１は編集権限を持つ管理者による管理者端末２５（ここでは図示しない）の操作を受け付けることにより、あるいは専用のプログラムにより実現する更新手段により、Ｗｅｂドキュメントサーバ２０は、これらのデータを随時更新している。
【００４１】
また、コンテンツ提供者のコンテンツサーバ３０は、配信元コンテンツデータ３２１を記憶している。配信元コンテンツデータ３２１は、編集権限を持つ管理者による管理者端末３５（ここでは図示しない）の操作を受け付けることにより、あるいは専用のプログラムにより実現する更新手段により、随時更新されており、最終的にユーザの端末４０に表示させるＷｅｂドキュメントデータに挿入するリンク情報を表すコンテンツデータ（コンテンツ）１２２を提供する。
【００４２】
さらに、コンテンツ配信サーバ１０のドキュメントデータ更新監視手段１１１は、Ｗｅｂドキュメントサーバ２０に記憶されたドキュメントデータ２２１の更新状況を定期的に監視し、要約データ１２１を記憶する。
【００４３】
ここで、Ｗｅｂドキュメントサーバ２０に記憶された要約データ２２３自身が更新された場合には、当該要約データ２２３を受信して要約データ１２１として記憶し、Ｗｅｂドキュメントサーバ２０が要約データ２２３を記憶・管理せず、原文のＷｅｂドキュメントデータ２２２を記憶・管理している場合には、ドキュメントデータ更新監視手段１１１は、Ｗｅｂドキュメントデータ２２２の更新を監視し、Ｗｅｂドキュメントデータ２２２が更新された場合には、Ｗｅｂドキュメントデータ２２２を受信し、これに基づいて要約データ１２１を生成して記憶する。
【００４４】
一方、コンテンツデータ受付手段１１２は、編集権限を持つ管理者による管理者端末１５の操作を受け付けることにより、あるいは専用のプログラムにより実現する受付手段により、コンテンツ提供者のコンテンツサーバ３０が記憶する配信元コンテンツデータ３２１へのリンク情報を含むデータを受け付けて、コンテンツデータ（コンテンツ）１２２として記憶する。
【００４５】
さらに、要約データ解析手段１１３は、要約データ１２１が記憶されたことに応じて、Ｗｅｂドキュメントデータを形態素解析してキーワードを抽出する。さらに、リンク挿入手段１１４により、当該抽出したキーワードに基づいて、要約データ１２１に関連するキーワードを含む配信元コンテンツデータ３２１へのリンク情報を、当該キーワード部分に挿入する（リンク挿入後の要約データ１２３）。このようにして、ユーザの端末４０からの要求に応じて、要約データ送信手段１１５が、リンク挿入後の要約データ１２３を送信することになる。
［各サーバおよび端末の構成］
【００４６】
図３は、本発明の好適な実施形態の一例に係る情報抽出方法を実現するコンテンツ配信サーバ１０、Ｗｅｂドキュメントサーバ２０、コンテンツ提供者のコンテンツサーバ３０、ユーザの端末４０、の構成を示すブロック図である。例えば、コンテンツ配信サーバ１０は、制御部１１０、記憶部１２０、通信インターフェース部１３０、入力部１４０、表示部１５０は、バス１６０を介して接続されている。
【００４７】
制御部１１０は、情報の演算、処理を行う情報演算処理装置であり、ＣＰＵ（Ｃｅｎｔｒａｌ  Ｐｒｏｃｅｓｓｉｎｇ  Ｕｎｉｔ）であってよい。また、制御部１１０はコンテンツ配信サーバ１０全体の制御を行い、記憶部１２０に記憶された各種プログラムを適宜読み出して実行することにより、上述のハードウエアが協働し、本発明に係る各種機能を実現している。
【００４８】
ここで、表示部１５０は、ユーザにデータの入力を受け付ける画面を表示したり、コンテンツ配信サーバ１０による演算処理結果の画面を表示したりするものであり、ブラウン管表示装置（ＣＲＴ）、液晶表示装置（ＬＣＤ）等のディスプレイ装置を含む。
【００４９】
ここで、入力部１４０は、ユーザによる入力の受付を行うものであり、キーボード、ポインティングデバイス等を含んでよい。入力部１４０は、直接または介在Ｉ／Ｏコントローラを介してコンテンツ配信サーバ１０と接続することができる。
【００５０】
ここで、通信インターフェース部１３０は、コンテンツ配信サーバ１０を専用ネットワークまたは公共ネットワークを介して端末と接続できるようにするためのネットワーク・アダプタである。通信インターフェース部１３０は、モデム、ケーブル・モデムおよびイーサネット（登録商標）・アダプタを含んでよい。
【００５１】
ここで、記憶部１２０は、制御部１１０と組み合わせてプログラムの実行に使用するローカルメモリ、大容量のバルクメモリ、および当該バルクメモリの検索を効率的に行うために使用するキャッシュメモリを含んでよい。記憶部１２０を実現するコンピュータ可読媒体としては、電気的、磁気的、光学的、電磁的に実現するものを含んでよい。より具体的には、半導体記憶装置、磁気テープ、フレキシブルディスク、ランダム・アクセス・メモリ（ＲＡＭ）、リードオンリー・メモリ（ＲＯＭ）、ＣＤ−ＲＯＭとＣＤ−Ｒ／ＷとＤＶＤとを含む光ディスクが含まれる。
【００５２】
また、コンテンツ配信サーバの管理者端末１５、Ｗｅｂドキュメントサーバ２０、その管理者端末２５、コンテンツ提供者のコンテンツサーバ３０、その管理者端末３５、ユーザの端末４０もコンテンツ配信サーバ１０と同様の構成を有する。
［ドキュメントデータ更新監視処理］
【００５３】
図４は、本発明の好適な実施形態の一例に係るコンテンツ配信サーバ１０によるドキュメントデータ更新監視処理を示すフローチャートである。
【００５４】
まず、制御部１１０は、ドキュメントデータ更新監視手段１１１により、所定のタイミングでＷｅｂドキュメントサーバ２０に記憶されたドキュメントデータ２２１（Ｗｅｂドキュメントデータ２２２あるいは要約データ２２３）を参照し、対象となるドキュメントデータ２２１（Ｗｅｂドキュメントデータ２２２あるいは要約データ２２３）が更新され、記憶部２２０に記憶されるのを監視（確認）する（ステップＳ１１０）。例えば、１０分毎、１時間毎、１日毎など、あらかじめ管理者によって設定された適当なタイミングで、Ｗｅｂドキュメントサーバ２０を通信ネットワーク５０、５１及び５２を介して監視（確認）する。
【００５５】
次に、制御部１１０は、ステップＳ１１０の結果、ドキュメントデータ２２１（Ｗｅｂドキュメントデータ２２２あるいは要約データ２２３）が更新されているかどうかを判断する（ステップＳ１２０）。具体的には、制御部１１０は、要約データ２２３が更新されているか否か、あるいはＷｅｂドキュメントサーバ２０が要約データ２２３を記憶・管理していない場合には原文のＷｅｂドキュメントデータ２２２が更新されているか否かを判断する。更新されている場合、制御部１１０はステップＳ１３０に処理を移し、更新されていない場合は、ステップＳ１１０に処理を戻し、これらの一連の処理を繰り返し行う。ステップＳ１３０において制御部１１０は、当該更新されたドキュメントデータ２２１（Ｗｅｂドキュメントデータ２２２あるいは要約データ２２３）の内容に基づいて、要約データ１２１を更新して記憶する。
【００５６】
具体的には、例えば、制御部１１０は、Ｗｅｂドキュメントデータ２２２を受信して当該Ｗｅｂドキュメントデータ２２２に基づいて新たに要約データ１２１を生成するか、あるいは、要約データ２２３を受信して要約データ１２１として記憶部１２０に記憶する。
【００５７】
また、この際、当該Ｗｅｂドキュメントデータ２２２あるいは要約データ２２３を更新した者が、あらかじめアフィリエイトプログラム等に参加するためにコンテンツ配信サーバ１０が記憶しているユーザである場合には、当該ユーザを識別するためのユーザ識別データ（メールアドレスデータや会員ＩＤデータ等）を同様に要約データ１２１に挿入する。当該ユーザ識別データは、当該要約データ１２１に後述するリンク挿入処理において挿入されたコンテンツデータ（コンテンツ）１２２がユーザにより参照された場合等、アフィリエイトプログラム等においてフィーの分配を受ける際に使用することができる。
【００５８】
さらに、制御部１１０は、一度記憶した要約データ１２１がさらにアフィリエイトプログラム等に参加しているユーザによって更新（例えば、追記、抜粋、再整形、フォーマットの変換等）されるのを引き続き監視し、当該更新を行ったユーザ識別データ（メールアドレスデータや会員ＩＤデータ等）を要約データ１２１に挿入してもよい。
【００５９】
このようにして、一度記憶した要約データ１２１がアフィリエイトプログラム等に参加しているユーザにより更新された場合に再度リンク挿入処理の対象とすることが可能となり、制御部１１０は、重層的なコンテンツデータ（コンテンツ）１２２の挿入処理を実行することができる。
【００６０】
このように、制御部１１０は、管理者による管理者端末１５の操作を受け付けることにより、上述の一連の処理を終了するまで（ステップＳ１４０）、随時更新されるＷｅｂドキュメントサーバ２０に記憶されたドキュメントデータ２２１（Ｗｅｂドキュメントデータ２２２あるいは要約データ２２３）に基づいた要約データ１２１を、随時記憶していく。
【００６１】
図５は、上述の要約データ１２１の一例を示す図である。Ｗｅｂドキュメントデータ２２２（あるいは要約データ２２３）の要約データＩＤに対して、対応するＷｅｂドキュメントデータ２２２（あるいは要約データ２２３）の発信元ＵＲＬ、当該Ｗｅｂドキュメントデータ２２２（あるいは要約データ２２３）の発信元ＩＤ、要約データ１２１に含まれるキーワード（要約キーワードデータ）等（後述する形態素解析等によって抽出する）を含む要約属性データ、要約データ１２１の内容がそれぞれ記憶されている。
【００６２】
ここで、当該Ｗｅｂドキュメントサーバ２０の運用者がアフィリエイトプログラム等に参加している場合には、発信元ＵＲＬ、発信元ＩＤ等は、当該要約データ１２１に後述するリンク挿入処理によって挿入されたコンテンツデータ（コンテンツ）１２２がユーザにより参照されたこと等に応じてフィーの分配等を行う際に使用される。
【００６３】
このように、Ｗｅｂドキュメントデータ２２２（あるいは要約データ２２３）が更新される毎に、上述のデータを含む要約データ１２１が更新されてゆくことになる。
［コンテンツデータ受付処理］
【００６４】
図６は、本発明の好適な実施形態の一例に係るコンテンツ配信サーバ１０によるコンテンツデータ受付処理を示すフローチャートである。
【００６５】
まず、制御部１１０は、コンテンツデータ受付手段１１２により、管理者端末１５からのコンテンツ配信要求を受け付ける（ステップＳ２１０）。具体的には、対象となる配信元のコンテンツへのリンクデータとしての配信元コンテンツデータ３２１のＵＲＬや、上述のＷｅｂドキュメントデータに関連付けるためのキーワードデータ等を管理者端末１５から受信する。
【００６６】
次に、制御部１１０は、上述の受信したデータに基づいて配信元コンテンツデータ３２１へのリンクデータを含むコンテンツデータ（コンテンツ）１２２を生成して記憶する（ステップＳ２２０）。
【００６７】
このように、制御部１１０は、管理者による管理者端末１５の操作を受け付けることにより、上述の一連の処理を終了するまで（ステップＳ２３０）、コンテンツデータ（コンテンツ）１２２を、随時記憶していく。
【００６８】
図７は、上述のコンテンツデータ（コンテンツ）１２２の一例を示す図である。コンテンツＩＤに対して、対応する配信元コンテンツデータ３２１のＵＲＬ、キーワード（コンテンツキーワードデータ）等を含むコンテンツ属性データがそれぞれ記憶されている。
【００６９】
このように、管理者による管理者端末１５の操作を受け付ける毎に、上述のデータを含むコンテンツデータ（コンテンツ）１２２が記憶されてゆくことになる。
［要約データ解析及びリンク挿入処理］
【００７０】
図８は、本発明の好適な実施形態の一例に係るコンテンツ配信サーバ１０による要約データ解析及びリンク挿入処理を示すフローチャートである。
【００７１】
まず、制御部１１０は、上述のドキュメントデータ更新監視手段１１１により、要約データ１２１が更新されたか否かを確認する（ステップＳ３１０）。更新されたと判断した場合に、制御部１１０は、ステップＳ３２０に処理を移し、更新されていないと判断した場合に、ステップＳ３１０の処理を繰り返す。
【００７２】
ステップＳ３２０において制御部１１０は、要約データ解析手段１１３により要約データ１２１の形態素解析を行ない、キーワードを抽出して要約データ１２１を更新する（ステップＳ３２０）。具体的には、上述の要約データ１２１のキーワードカラムに当該抽出したキーワードを追加する。なお、図５に示した例においては、ＷｅｂドキュメントＩＤ００３に対して２つのキーワードを抽出し、２つのレコードとして記憶しているが、一つのＷｅｂドキュメントＩＤに対してキーワードカラムに２つのキーワードを記憶するようにしてもよい。
【００７３】
次に、制御部１１０は、リンク挿入手段１１４により、当該要約データ１２１に上述のコンテンツデータ（コンテンツ）１２２（例えば、配信元コンテンツデータ３２１へのリンクデータ）を挿入する（ステップＳ３３０）。具体的には、図５に示した要約データ１２１の要約属性データとして記憶しているキーワード（要約キーワードデータ）に関連するキーワード（コンテンツキーワードデータ）をコンテンツ属性データとして持つコンテンツデータ（コンテンツ）１２２を図７に示したコンテンツデータ（コンテンツ）１２２から検索し、当該コンテンツデータ（コンテンツ）１２２（配信元コンテンツデータ３２１のＵＲＬ）を要約データ１２１の当該キーワード部分に挿入する。
【００７４】
このように、制御部１１０は、管理者による管理者端末１５の操作を受け付けることにより、上述の一連の処理を終了するまで（ステップＳ３４０）、上述の処理を繰り返し行なう。
［要約データ送信処理］
【００７５】
図９は、本発明の好適な実施形態の一例に係るコンテンツ配信サーバ１０による要約データ送信処理を示すフローチャートである。
【００７６】
まず、制御部１１０は、上述の要約データ送信手段１１５により、ユーザの端末４０からの要求を受け付けたことに応じて（ステップＳ４１０）、上述のリンク挿入後の要約データ１２３を当該ユーザの端末４０へ送信する（ステップＳ４２０）。このようにして、コンテンツ配信サーバ１０は、配信元コンテンツデータ３２１へのリンクが挿入された要約データ１２３をユーザの端末４０へ送信することになる。
【００７７】
このことにより、ユーザの端末４０には当該リンクが挿入されたＷｅｂドキュメントが表示され、当該ユーザが当該リンクをクリックすることにより、当該リンクが示すＵＲＬによって配信元コンテンツデータ３２１の参照が可能となる。
【００７８】
図１０は、上述の一連の処理を、ＲＳＳ技術を使ったアフィリエイトプログラムに応用した場合の実施形態の一例である。
【００７９】
ＲＳＳ対応のブログを管理するＷｅｂサイトにおいて、要約（例えば、要約データ２２３）が更新されると、上述のような処理によって広告へのリンクが適宜挿入される。これをＲＳＳリーダ等により表示させて閲覧したユーザは、当該広告へのリンクをクリックすることにより、当該広告を参照する可能性がある。このような仕組みにより、ＲＳＳ技術を使ったアフィリエイトプログラムを実現することが可能になる。
【００８０】
図１１は、本発明によるインセンティブ向上型アフィリエイトプログラムの一例である。
【００８１】
ＲＳＳリーダ等によってブログ等の要約の閲覧を行なったユーザが、当該閲覧をした要約（例えば、要約データ１２３）にさらに要約を追加することにより、当該新たな要約が追加されたことを上述のドキュメントデータ更新監視手段１１１が認識すると、上述の一連の処理が行なわれることになる。
【００８２】
その結果、最初のブログを投稿したユーザのみならず、要約を追加したユーザにも、アフィリエイトプログラムに参加できる可能性が出てくる。このような一連の処理を繰り返すことにより、関連する要約が短期間のうちに集積することになり、従来のＨＴＭＬの検索や掲示板の参照と比較して効率良くコンテンツ配信を行うことができる可能性がある。
【００８３】
図１２は、図１１で示したインセンティブ向上型アフィリエイトプログラムにおいて更新されるＲＳＳデータ（例えば、要約データ１２３の「要約データの内容」）の一例である。追加になった要約について、＜ｉｔｅｍ＞要素と＜ｉｍａｇｅ＞要素が追加されていることがわかる。
【００８４】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【図面の簡単な説明】
【００８５】
【図１】本発明の好適な実施形態の一例に係るコンピュータシステム１の全体構成を表すブロック図である。
【図２】本発明の好適な実施形態の一例に係るコンピュータシステム１を構成する各サーバの主要な機能構成を表すブロック図である。
【図３】本発明の好適な実施形態の一例に係る情報抽出方法を実現するコンテンツ配信サーバ１０、Ｗｅｂドキュメントサーバ２０、コンテンツ配信元のコンテンツサーバ３０、ユーザの端末４０、の構成を示すブロック図である。
【図４】本発明の好適な実施形態の一例に係るコンテンツ配信サーバ１０によるドキュメントデータ更新監視処理を示すフローチャートである。
【図５】上述の要約データ１２１の一例を示す図である。
【図６】本発明の好適な実施形態の一例に係るコンテンツ配信サーバ１０によるコンテンツデータ受付処理を示すフローチャートである。
【図７】上述のコンテンツデータ（コンテンツ）１２２の一例を示す図である。
【図８】本発明の好適な実施形態の一例に係るコンテンツ配信サーバ１０による要約データ解析及びリンク挿入処理を示すフローチャートである。
【図９】本発明の好適な実施形態の一例に係るコンテンツ配信サーバ１０による要約データ送信処理を示すフローチャートである。
【図１０】上述の一連の処理を、ＲＳＳ技術を使ったアフィリエイトプログラムに応用した場合の実施形態の一例である。
【図１１】本発明によるインセンティブ向上型アフィリエイトプログラムの一例である。
【図１２】図１１で示したインセンティブ向上型アフィリエイトプログラムにおいて更新されるＲＳＳデータの一例である。
【符号の説明】
【００８６】
１      コンピュータシステム
１０    コンテンツ配信サーバ
２０    Ｗｅｂドキュメントサーバ
３０    コンテンツサーバ
４０    ユーザの端末
５０、５１、５２、５３    通信ネットワーク
１５、２５、３５  管理者端末
１１０、２１０、３１０、４１０  制御部
１２０、２２０、３２０、４２０  記憶部
１３０、２３０、３３０、４３０  通信インターフェース部
１４０、２４０、３４０、４４０  入力部
１５０、２５０、３５０、４５０  表示部
１６０、２６０、３６０、４６０  バス
２２３、１２１、１２３  要約データ
【図１】
0004664853.tif 000002
【図２】
0004664853.tif 000003
【図３】
0004664853.tif 000004
【図４】
0004664853.tif 000005
【図５】
0004664853.tif 000006
【図６】
0004664853.tif 000007
【図７】
0004664853.tif 000008
【図８】
0004664853.tif 000009
【図９】
0004664853.tif 000010
【図１０】
0004664853.tif 000011
【図１１】
0004664853.tif 000012
【図１２】
0004664853.tif 000013